(57)【要約】【課題】汎用性の高い内部構成を有する電気掃除機を提供する。【解決手段】集塵室５と電動送風機室６を備えるとともに電気掃除機本体１外郭を形成するカバー体４と、前記電動送風機室６に収容されると共に、吸引風を発する電動送風機７および電気を供給する電源コード（図示せず）を一体的に保持するケース体８を備えたもので、電気掃除機本体１の下カバー２に電動送風機７や電源コードを保持するための複雑な保持構成が必要ないため、多種の内部構造部品に対応しやすく、汎用性の高い内部構成とすることができる。【選択図】図２
2011251025.tif 000002
【特許請求の範囲】
【請求項１】
集塵室と電動送風機室を備えるとともに電気掃除機本体外郭を形成するカバー体と、前記電動送風機室に収容されると共に、吸引風を発する電動送風機および電気を供給する電源コードを一体的に保持するケース体を備えた電気掃除機。
【請求項２】
ケース体の上面に、電動送風機の動作を調節するスイッチを備えた請求項１に記載の電気掃除機。
【請求項３】
ケース体の上面に電源コードの巻取り動作を調節するレバーを備えた請求項１又は２に記載の電気掃除機。
【請求項４】
ケース体単独の状態において、電動送風機と電源コードが電気的に接続された請求項１〜３のいずれか１項に記載の電気掃除機。
【請求項５】
ケース体は、第１ケースと第２ケースで構成されており、前記第１ケースと前記第２ケースはそれぞれの内側に挟み込むように電動送風機を収容し、前記第１ケースの外側に、電源コードを巻きつけるコードリールを保持するための保持部を設けた請求項１〜４のいずれか１項に記載の電気掃除機。
【発明の詳細な説明】
【技術分野】
【０００１】
本発明は、電気掃除機に関するものである。
【背景技術】
【０００２】
従来、この種の電気掃除機は、掃除機本体に、電動送風機室とコードを収納するコードリール室とを備え、それぞれの部屋に電動送風機とコードを別々にセットし、電気的に接続することで電気掃除機の運転を可能としている（例えば、特許文献１参照）。
【０００３】
上記特許文献１に記載された従来の電気掃除機では、電動送風機とコードリールの形状に合わせてそれぞれ電動送風機室とコードリール室を形成している下カバーと、電動送風機室にセットされた電動送風機と、コードリール室にセットされたコードから構成されている。
【先行技術文献】
【特許文献】
【０００４】
【特許文献１】特開平４−７９９３０号公報
【発明の概要】
【発明が解決しようとする課題】
【０００５】
しかしながら、前記従来の電気掃除機の構成では、電気掃除機本体のカバー体に、電動送風機やコードを保持するための複雑な保持構成が必要なため、形状の異なる電動送風機やコードを一つの電気掃除機本体で共用することが困難であるという課題や、掃除機本体のデザインを変更する際には、前記保持構成を有した複雑な形状を有するカバー体を再度作り直す必要があるという課題を有していた。
【０００６】
本発明は、前記従来の課題を解決するもので、汎用性の高い内部構成を有した電気掃除機を提供することを目的とする。
【課題を解決するための手段】
【０００７】
前記従来の課題を解決するために、本発明の電気掃除機は、集塵室と電動送風機室を備えるとともに電気掃除機本体外郭を形成するカバー体と、前記電動送風機室に収容されると共に、吸引風を発する電動送風機および電気を供給する電源コードを一体的に保持するケース体を備えたもので、電気掃除機本体の下カバーに電動送風機やコードを保持するための複雑な保持構成が必要ないため、多種の内部構造部品に対応しやすく、汎用性の高い内部構成とすることができる。
【発明の効果】
【０００８】
本発明の電気掃除機は、汎用性の高い内部構成を有することができる。
【図面の簡単な説明】
【０００９】
【図１】本発明の第１の実施の形態における電気掃除機の電気掃除機本体の斜視図
【図２】同電気掃除機本体の縦断面図
【図３】同電気掃除機本体の横断面図
【図４】同電気掃除機のケース体の斜視図
【図５】同ケース体の横断面図
【図６】同ケース体の部品展開図
【図７】（ａ）同電気掃除機のコードリールの側面図（電源コードを引き出した状態）、（ｂ）同コードリールの側面図（電源コードの巻き取り時）
【発明を実施するための形態】
【００１０】
第１の発明は、集塵室と電動送風機室を備えるとともに電気掃除機本体外郭を形成するカバー体と、前記電動送風機室に収容されると共に、吸引風を発する電動送風機および電気を供給する電源コードを一体的に保持するケース体を備えたもので、電気掃除機本体の下カバーに電動送風機やコードを保持するための複雑な保持構成が必要ないため、多種の内部構造部品に対応しやすく、汎用性の高い内部構成とすることができる。
【００１１】
第２の発明は、特に、第１の発明のケース体の上面に、電動送風機の動作を調節するスイッチを備えたもので、ケース体をカバー体にセットした後、スイッチを別途組み立てる必要がなく組み立ての工数を削減できるため汎用性が高い構成とすることができる。
【００１２】
第３の発明は、特に、第１又は第２の発明のケース体の上面に電源コードの巻取り動作を調節するレバーを備えたもので、ケース体をカバー体にセットした後、電源コード巻取りを動作させるための機構部品を別途組み立てる必要がなく組み立ての工数が削減できるため汎用性が高い構成とすることができる。
【００１３】
第４の発明は、特に、第１〜３のいずれか１つの発明のケース体単独の状態において、電動送風機と電源コードが電気的に接続されたもので、ケース体をカバー体にセットした後、電動送風機と電源コードを別途電気的な接続をおこなう必要が無く、またケース体単独の状態にて電動送風機の運転が可能なため、組み立てと検査の工数を削減でき汎用性が高い構成とすることができる。
【００１４】
第５の発明は、特に、第１〜４のいずれか１つの発明のケース体は、第１ケースと第２ケースで構成されており、前記第１ケースと前記第２ケースはそれぞれの内側に挟み込むように電動送風機を収容し、前記第１ケースの外側に、電源コードを巻きつけるコードリールを保持するための保持部を設けたもので、電動送風機と電源コードを保持する部品が２部品で済むとともに小型化を可能としたため汎用性が高い構成とすることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気掃除機の電気掃除機本体の斜視図、図２は、同電気掃除機本体の縦断面図、図３は、同電気掃除機本体の横断面図、図４は、同電気掃除機のケース体の斜視図、図５は、同ケース体の横断面図、図６は、同ケース体の部品展開図、図７（ａ）は、同電気掃除機のコードリールの側面図（電源コードを引き出した状態）、図７（ｂ）は、同コードリールの側面図（電源コードの巻き取り時）である。
【００１７】
図１〜７において、本実施の形態における電気掃除機の電動送風機７は、前サポーター１０と後サポーター１１を介し、第１ケース１２と第２ケース１３とで左右からそれらの内側に挟み込まれるように保持されて、ケース体８を構成している。
【００１８】
また第１ケース１２には、電動送風機７と反対側にコードリール１４の軸１５を保持する保持部となる軸穴１６が構成されている。コードリール１４には、電源コード１７が巻き付けられているとともに、コードリール１４に内蔵したゼンマイバネ（図示せず）によって、電源コード１７がコードリール１４に巻き取られる回転方向に付勢されている。
【００１９】
第１ケース１２の略上面にはコイルバネ１８と、レバー１９が設けられ、レバー１９の一端には、ローラー２０が配備され、コードリール１４の外周と、第１ケース１２のリブ２１に当接している。ケース体８の略上面には、電動送風機７のオンオフを行う電源スイッチ２２と、電動送風機７の回転数を変更するための回転式の調節スイッチ２３が固定されているとともに、これらのスイッチと電動送風機７、電源コード１７は電気的に接続がされた状態になっている。
【００２０】
電気掃除機本体１の外郭は、下カバー２と上カバー３から成るカバー体４にて構成されている。電気掃除機本体１の内部は、その前方に集塵室５、後方に電動送風機室６が形成されており、電動送風機室６には、ケース体８が収容されている。上カバー３には、電源ペダル２４と、調節つまみ２５と、ブレーキペダル２６が配設されており、それぞれ、電源スイッチ２２、調節スイッチ２３、レバー１９と連動するよう配置および連結されている。電気掃除機本体１のカバー体４の後面には、コード出口９が構成されており、使用者が電源コード１７先端のプラグ２７を掴めるようにプラグ２７がコード出口９に備えられている。
【００２１】
以上のように構成された本実施の形態における電気掃除機について、以下その動作、作用を説明する。
【００２２】
まず、電気掃除機の電動送風機７やコードリール１４は、ケース体８に保持されて収容されているため、電気掃除機本体１のカバー体４が構成する電動送風機室６は、電動送風機７やコードリール１４を保持するための複雑な保持構成がなく、単純に外郭を構成する箱状となっている。このような構成をとることによって、いろいろなタイプおよびメーカーの電動送風機７やコードリール１４を、同じ電気掃除機本体１に共用して仕様を展開したいとき、それぞれの電動送風機７やコードリール１４の形状に合わせてケース体８の形状を設計すれば、カバー体４は、形状を変更することなく共用できる。一般的に、カバー体４は、大きい部品であるため入れ子等の対応を行うと非常に複雑で壊れやすく高価な金型になってしまうが、本発明の構成によれば、単純な単一の金型構成で対応できるという面でコスト的メリットを有する。
【００２３】
逆に、デザインが異なるカバー体４に、同一のケース体８を共用するという仕様展開もやり易い構成でもあるため、デザインの異なる電気掃除機を安価に設計でき、汎用性が非常に高い構成といえる。
【００２４】
また、電動送風機７や電源コード１７は、ケース体８単独で電気的に接続された状態となっているため、プラグ２７を電源コード１７に接続し、電源スイッチ２２をオンすることで、ケース体８単独で電動送風機７を運転することが可能である。このような構成にすることで、例えば、ケース体８をコストメリットを有するある工場で組み立てを行い、カバー体４にセットして、電気掃除機本体１を完成させる工程を、販売地域に近い別の工場で行うような場合においては、ケース体８単体で工場出荷することになるが、ケース体８単独での性能検査が容易にできるため、生産の観点からも汎用性が高いものとなる。
【００２５】
本実施の形態では、電動送風機７の電源を入れるときには、電源ペダル２４を押し込むことによって、電源ペダル２４のリブ２８が内部に配置された電源スイッチ２２を押して通電状態となり、電動送風機７に電気が印加される。また、電動送風機７の回転数を変更するときには、調節つまみ２５を回転させることで連結された調節スイッチ２３も回転し、回転数が制御される。
【００２６】
電源コード１７は、使用者がコード出口９からプラグ２７を引き出すことによって、コードリール１４が軸１５中心で回転を行い、コードリール１４に巻き付けられていた電源
コード１７が、電気掃除機本体１の外部に引き出されるとともに、コイルバネ１８によって付勢されたレバー１９のローラー２０がコードリール１４の外周と第１ケース１２のリブ２１に当接することで、電源コード１７が引き出された状態が維持される。
【００２７】
電源コード１７を、電気掃除機本体１の内部に収容するときには、ブレーキペダル２６を押し込むことによって、ブレーキペダル２６のリブ２９が、内部に配置されたレバー１９を押し、レバー１９のローラー２０とコードリール１４の外周との当接が解かれ、ゼンマイバネの力によって、コードリール１４が軸１５中心で回転し、電源コード１７がコードリール１４に巻き取られる。
【００２８】
また、ケース体８単独の状態において、電源スイッチ２２、調節スイッチ２３、レバー１９がケース体８の上面にすでに配置されているため、ケース体８を、カバー体４に収容した後に、電源スイッチ２２、調節スイッチ２３、レバー１９を別途セットし直す必要がなく、カバー体４の電源ペダル２４、調節つまみ２５、ブレーキペダル２６についても複雑な機構を要しないため、少ない組み立て工数で組立ができるとともに、カバー体４を安価に設計・生産が可能であり、汎用性が高い。
【産業上の利用可能性】
【００２９】
以上のように、本発明にかかる電気掃除機は、汎用性の高い内部構成を有することが可能となるので、家庭、業務用等の電気掃除機の用途に有用である。
【符号の説明】
【００３０】
１  電気掃除機本体
４  カバー体
５  集塵室
６  電動送風機室
７  電動送風機
８  ケース体
１６  軸穴（保持部）
１７  電源コード
２２  電源スイッチ（スイッチ）
２３  調節スイッチ（スイッチ）
【図１】
2011251025.tif 000003
【図２】
2011251025.tif 000004
【図３】
2011251025.tif 000005
【図４】
2011251025.tif 000006
【図５】
2011251025.tif 000007
【図６】
2011251025.tif 000008
【図７】
2011251025.tif 000009